(57)【要約】【課題】  人によって湧泉の位置がずれていても、同じように刺激することができ、誰にも同様の効果が得られるようにする履物用底部材を提供することである。【解決手段】  履物の輪郭に対応する形状の平板状の本体１表面に、複数の隆起部２ａ〜２ｅを備えた履物用底部材であって、少なくとも、人の足裏の湧泉近傍に対応する箇所に、所定の間隔を保って形成した一対の隆起部２ｂ，２ｃを備え、これら一対の隆起部のそれぞれに、一方の磁極を隆起部表面に向けた永久磁石Ｍ１，Ｍ２を埋設し、これら永久磁石Ｍ１，Ｍ２における隆起部表面側の磁極の極性を反対にした。【選択図】  図１
2008173309.tif 000002
【特許請求の範囲】
【請求項１】
履物の輪郭に対応する形状の平板状の本体表面に、複数の隆起部を備えた履物用底部材であって、少なくとも、人の足裏の湧泉近傍に対応する箇所に、所定の間隔を保って形成した一対の隆起部を備え、これら一対の隆起部のそれぞれに、一方の磁極を隆起部表面に向けた永久磁石を埋設し、これら永久磁石における隆起部表面側の磁極の極性を反対にした履物用底部材。
【請求項２】
上記永久磁石は、その表面に、銅または銅合金を備えたことを特徴とする請求項１に記載の履物用底部材。
【請求項３】
踵に対応する位置に設けた第１の隆起部と、土踏まずに対応する位置に設けた第２、第３の隆起部と、足の親指または親指の付け根に対応する位置に設けた第４の隆起部と、上記土踏まずと第１の隆起部との間であって脚の内側寄りに第５の隆起部を備えた請求項１または２に記載の履物用底部材。
【発明の詳細な説明】
【技術分野】
【０００１】
この発明は、履物の中敷や底など、履物をはいたユーザーの足裏に直接または間接的に接触する履物用底部材に関する。
【背景技術】
【０００２】
従来から、表面に隆起部を形成し、その隆起部で足裏のツボや反射ゾーンを刺激することによって、つぼに対応した器官の血行や代謝を促進するための履物用中敷やサンダルなどが知られていた（特許文献１参照）。
一方、磁力によっても、血行が促進されることが知られている。
そこで、更なる健康増進効果を期待して、上記隆起部による刺激と、磁力の刺激との両者によってツボや反射ゾーンを刺激するため、隆起部を設けた中敷やサンダルの底面に、永久磁石を取り付けたものも製造されている。
【特許文献１】実用新案登録公報第２５１５１１２号
【発明の開示】
【発明が解決しようとする課題】
【０００３】
上記のように、足裏のツボや反射ゾーンを刺激する中敷などでは、特に足裏の湧泉を刺激することが重要であり、そのために、湧泉に対応する位置に隆起部や永久磁石を設けるようにしていた。なお、湧泉とは、左右の足裏にあるツボで、そこを刺激することによって、血行や、代謝を良くして、筋肉疲労の回復や、冷えや痛みを改善したりすることができるツボである。
そして、この湧泉は、図６に星印「★」で示すように、足裏の中心よりやや指先側へ寄った位置であって、第５指の付け根と、脚の内側に沿った土踏まずの中心とを結んだ線上の少しくぼんだところに位置している。
【０００４】
しかし、上記湧泉の位置は、足裏の相対位置として、おおよその位置は決まっているが、厳密には人ごとに異なり、例えば、同じ大きさの靴を履く人であっても、足裏の形状も異なるし、足裏における湧泉の相対位置も異なる。そのため、人によっては、中敷に設けた上記隆起部や永久磁石の位置が湧泉の位置から外れてしまって、隆起部による刺激が弱まるだけでなく、湧泉を横切る磁束密度も小さくなり、湧泉への刺激が不十分で、結果として効果が出ないことがあった。
【０００５】
この発明の目的は、人によって湧泉の位置がずれていても、同じように湧泉に対して刺激を与え、誰にも同様の効果が得られるようにする履物用底部材を提供することである。
【課題を解決するための手段】
【０００６】
第１の発明は、履物の輪郭に対応する形状の平板状の本体表面に、複数の隆起部を備えた履物用底部材であって、少なくとも、人の足裏の湧泉近傍に対応する箇所に、所定の間隔を保って形成した一対の隆起部を備え、これら一対の隆起部のそれぞれに、一方の磁極を隆起部表面に向けた永久磁石を埋設し、これら永久磁石における隆起部表面側の磁極の極性を反対にした点に特徴を有する。
【０００７】
第２の発明は、上記第１の発明を前提とし、上記永久磁石は、その表面に、銅または銅合金を備えた点に特徴を有する。
第３の発明は、第１または第２の発明を前提とし、踵に対応する位置に設けた第１の隆起部と、土踏まずに対応する位置に設けた第２、第３の隆起部と、足の親指または親指の付け根に対応する位置に設けた第４の隆起部と、上記土踏まずと第１の隆起部との間であって脚の内側寄りに設けた第５の隆起部とを備えた点に特徴を有する。
【０００８】
なお、この発明の履物用底部材とは、履物をはいた人の足裏に直接または間接的に接触する部材であって、履物に挿入して履物の底の上に敷いて用いる中敷のほか、履物の内側面を構成する底部材などである。
【発明の効果】
【０００９】
第１の発明によれば、湧泉に対応する位置に設けた一対の永久磁石によって、磁束密度が一定以上の範囲を広く作ることができる。言い換えれば、磁力による一定以上の刺激を作用させることができる範囲を広くできる。そのため、人によって湧泉の位置が多少ずれていても、どの人の湧泉に対しても、同じように磁力による刺激を与えることができる。
このような履物用底部材によれば、一対の隆起部と、磁力との両方で、湧泉を確実に刺激して、血行や代謝を高めることができる。
【００１０】
第２の発明では、永久磁石表面に、銅による殺菌効果をもたせたので、隆起部や磁力による刺激によって血行が良くなり、足裏に汗をかくようなことがあっても、雑菌の増殖を抑えることができる。従って、皮膚病や悪臭の発生を抑制することができる。
【００１１】
第３の発明によれば、湧泉以外の足つぼにも、隆起部による刺激を与えて、更に、血行や代謝を改善することができる。
【発明を実施するための最良の形態】
【００１２】
図１〜図５を用いてこの発明の一実施形態を説明する。
図１は、右足用の中敷を構成する本体１の平面図である。この中敷は、靴の輪郭に合わせた形状をしているが、本体１の表面と裏面をカバー部材４，５で挟んで形成している。ただし、図１では、上記カバー部材４，５を除いた本体１のみを示している。この本体１の表面には、複数の隆起部２ａ〜２ｅを設けている。そして、上記本体１を図中点線で示す踵反射ゾーンＡ、土踏まず反射ゾーンＢ、および親指反射ゾーンＣに区画すると、第１の隆起部２ａは、踵反射ゾーンＡの範囲内に位置するとともに、土踏まず反射ゾーンＢ内には、第２の隆起部２ｂと第３の隆起部２ｃとが位置している。そして、第４の隆起部２ｄは、親指反射ゾーンＣの範囲内に位置し、上記親指反射ゾーンＣと土踏まず反射ゾーンＢとの間であって、上記隆起部２ｃと隆起部２ａとの間で、図１の左寄りである脚の内側寄りに、第５の隆起部２ｅを設けている。
【００１３】
なお、ここでいう踵反射ゾーンＡとは、本体１を靴の中に敷いて足を入れたとき、足の踵が接触する範囲のことであり、小腸、大腸、骨盤など、下腹部に関連するツボが含まれている。
同様に土踏まず反射ゾーンＢは足の土踏まずが位置し、親指反射ゾーンＣは足の親指あるいはその付け根が位置するゾーンのことである。そして、土踏まず反射ゾーンＢは、肺、心臓、胃、腎臓などの器官に関連するツボが含まれ、親指反射ゾーンＣは、頭部に関連するゾーンである。
従って、上記各隆起部２ａ〜２ｅによって足裏を刺激すると、対応する器官の血行や代謝を高めることができる。
【００１４】
そして、上記土踏まず反射ゾーンＢに設けた隆起部２ｂと、隆起部２ｃとの間には、人の湧泉が位置するようにし、これら隆起部２ｂと２ｃが、湧泉近傍に対応する箇所に設けた一対の隆起部である。
なお、図１、図６においては、上記湧泉のおおよその位置を、星印「★」で示している。
上記湧泉は、図１、図６に示すように、大体の位置は決まっているが、個人差があるので、上記隆起部２ｂと２ｃとは、個人差のある湧泉を両隆起部間に位置させることができるように、所定の間隔を保って設けられている。
【００１５】
また、上記各隆起部２ａ〜２ｅは、本体１の上面が隆起した部位であり、この実施形態においては各隆起部２ａ〜２ｅに弾性をもたせるため、本体１を発泡ゴムで形成している。これら各隆起部２ａ〜２ｅは、本体１表面から約４ｍｍ隆起しており、直径は約２５ｍｍ〜４５ｍｍ程度であるが、その高さおよび直径は特に限定されるものではなく、任意に決めることができる。さらに、上記隆起部２ａ，２ｃ，２ｄ，２ｅは、底面が円形の形状であり、隆起部２ｂのみ長円形状であるが、この各隆起部２ａ〜２ｅの形状も特に限定されるものではない。
【００１６】
さらに、図２に示すように、第２の隆起部２ｂ、第３の隆起部２ｃ、及び、第４の隆起部２ｄには、円筒状の凹部３を形成し、各凹部３には、それぞれ、永久磁石Ｍ１，Ｍ２，Ｍ３を埋設している。上記永久磁石Ｍ１〜Ｍ３は、いずれも、図３に示す円柱状で、両底面側に磁極を備えた永久磁石である。この永久磁石の一方の磁極を隆起部の表面側に向けて上記凹部３に埋め込み、接着材で本体１に固定している。
【００１７】
なお、上記第２の隆起部２ｂに埋設した永久磁石Ｍ１と、第３の隆起部２ｃに埋設した永久磁石Ｍ２とは、後で説明する理由によって、その磁極を反対にしている。例えば、図４に示すように、第２の隆起部２ｂに設ける永久磁石Ｍ１は表面側をＮ極とし、第３の隆起部２ｃに設ける永久磁石Ｍ２は表面側をＳ極としている。そして、第４の隆起部２ｄに設ける永久磁石Ｍ３は、他の永久磁石Ｍ１，Ｍ２からの距離が大きいため、それらの影響をほとんど受けないので、Ｓ極、Ｎ極のいずれを表面側に配置してもかまわない。
また、上記各永久磁石Ｍ１〜Ｍ３は、直径１５ｍｍ、高さ１ｍｍの円柱状であるが、その形状や寸法はこれに限らない。ただし、足裏で踏んだときに、余り違和感が大きくない表面形状や大きさが好ましい。また、この実施形態では、上記永久磁石Ｍ１〜Ｍ３の表面を銅合金で被覆している。
【００１８】
このように上記凹部３に永久磁石Ｍ１〜Ｍ３を埋設した本体１の表面と裏面に、一対のカバー部材４，５を固定している。この一対のカバー部材４，５は、収汗性あるいは収湿性を有する人工皮革、合成皮革、皮あるいは合成繊維等を素材にしている。これらのカバー部材４，５で、本体１を挟み込むようにして覆ったとき、本体１表面に、隆起部２ａ〜２ｅが隆起しているため、本体１表面を覆うカバー部材４も、これら隆起部２ａ〜２ｅと同様に隆起している。そして、カバー部材４であって、上記永久磁石を埋設した第２〜第４の隆起部２ｂ〜２ｄに対応する部分には、円形の穴６を形成して上記永久磁石Ｍ１〜Ｍ３の表面を露出させている。ただし、穴６の直径を、上記永久磁石Ｍ１〜Ｍ３の直径よりも小さくし、カバー部材４によって永久磁石Ｍ１〜Ｍ３を押さえ、本体１から永久磁石Ｍ１〜Ｍ３が離脱しないようにしている。
さらにまた、本体１の隆起部２ａ〜２ｅ以外のほぼ全面に、多数の通気孔７を貫通させている。なお、この通気孔７は直径１ｍｍ〜３ｍｍで形成している。
【００１９】
上記のようにした中敷において、第２の隆起部２ｂに埋設した永久磁石Ｍ１と、第３の隆起部２ｃに埋設した永久磁石Ｍ２によって磁場が作られるが、極性を反対にして配置された一対の永久磁石Ｍ１，Ｍ２による磁場では、両永久磁石間に、一定値以上の高い磁束密度を有する広いエリアが形成される。
このことを、図４、図５を用いて説明する。
図４は、この実施形態の中敷の永久磁石Ｍ１、Ｍ２の配置を示した図であり、図５は、上記実施形態とは違って、永久磁石Ｍ１とＭ２の磁極を同じ向きにした場合の図である。そして、それぞれの場合について磁束密度を測定した結果を図示している。
なお、各永久磁石Ｍ１，Ｍ２は全て、同一性能のものであり、一対の永久磁石の磁極配置を反対にした場合と、同じにした場合のいずれも、永久磁石間距離（永久磁石Ｍ１とＭ２の外周間の最も近い距離）を２０ｍｍにしている。また、図４，５には、永久磁石表面から１５ｍｍの高さ位置における磁束密度を図示している。
【００２０】
その結果、図４，５に示すように、永久磁石の中央付近ではどららの場合も、磁束密度は６０Ｇであった。しかし、永久磁石Ｍ１とＭ２との中間では、上記実施形態のように２つの永久磁石における磁極の向きを反対にした場合（図４参照）に４０Ｇであるのに対し、同極の組み合わせでは２０Ｇ（図５参照）であった。
このように、湧泉近傍に対応する位置に設けた一対の永久磁石Ｍ１、Ｍ２の永久磁石間において、磁束密度の高いエリアをより広くするために、この実施形態の中敷では、一対の永久磁石の、磁極の向きを反対にしているのである。
【００２１】
すなわち、図４のように、磁極の向きを反対にして永久磁石を設けた場合には、この中敷を用いた人の湧泉が、永久磁石Ｍ１またはＭ２の真上に位置しているときは、同極の場合と同様に大きな磁気刺激を受けるし、湧泉が永久磁石の真上から多少ずれたとしても、２つの永久磁石Ｍ１，Ｍ２の間にあれば、図５の場合に比べて２倍の磁力による磁気刺激を受けることになる。これに対し、図５に示すように、磁極の向きを同じにした２つの永久磁石Ｍ１，Ｍ２を用いた場合には、湧泉が、永久磁石の真上に位置しているときには大きな磁気刺激を受けるが、永久磁石からずれると急激に刺激が小さくなってしまい、効果が薄れてしまうことが予測できる。
従って、図４に示すような配置にしたこの実施形態の中敷では、湧泉の位置が多少ずれていても、どの人の湧泉に対しても、同じように磁力による刺激を作用させることができる。
【００２２】
このような中敷を靴の中に敷いて歩行すると、隆起部２ａ〜２ｅが身体の各器官や脳に連係した反射ゾーンを押圧するとともに、磁気によって湧泉を確実に刺激することができる。このように、湧泉や、その他のツボを含む反射ゾーンを刺激した状態でしばらく歩行を続けると、血行や代謝が良くなり、健康増進につながる。
血行が良くなれば、足裏が発汗することもあるが、この中敷によれば、通気孔７によって、中敷に通気性があるので、足が蒸れたり、中敷が痛んだりし難い。特に、この実施形態のように、本体１を弾力性のある材質で形成した場合には、歩行中に本体１が変形して、通気孔７が伸縮することにより、靴内の通気をよりよくすることができるが、本体１の素材は、この実施形態に限定されない。通常の中敷や、履物の中底に利用されるものなら、どのようなものでもよい。
【００２３】
また、上記実施形態では、永久磁石Ｍ１〜Ｍ３の表面を銅合金で形成しているが、このように、永久磁石Ｍ１〜Ｍ３の表面を銅合金で形成したり、銅製にしたりすることで、銅による殺菌効果が得られる。その結果、足裏や、履物内の雑菌の繁殖を押さえ、皮膚病や悪臭の発生を防ぐことができる。
なお、上記実施形態においてはカバー部材４，５を本体１の表面および裏面に設けているが、必ずしもカバー部材４，５を設けなくてもよいし、いずれか一方のみを設けてもよい。
さらに、上記実施形態では、靴に挿入して用いる中敷の例を説明したが、上記中敷の構成をそのまま、スリッパや、サンダル、靴などの底部材としてもよい。
【図面の簡単な説明】
【００２４】
【図１】発明の実施形態における中敷の平面図である。
【図２】図１のII-II線断面図である。
【図３】実施形態で用いる永久磁石の斜視図である。
【図４】実施形態における永久磁石の磁束密度の測定結果を示した図である。
【図５】磁極の向きを同一にした永久磁石を配置した場合の磁束密度の測定結果を示した図である。
【図６】湧泉の位置を示した足裏の図である。
【符号の説明】
【００２５】
１      本体
２ａ〜２ｅ    隆起部
Ｍ１〜Ｍ３    永久磁石
【図１】
2008173309.tif 000003
【図２】
2008173309.tif 000004
【図３】
2008173309.tif 000005
【図４】
2008173309.tif 000006
【図５】
2008173309.tif 000007
【図６】
2008173309.tif 000008